(57)【特許請求の範囲】
【請求項１】
偏心軸挿通リングを含み、前記偏心軸挿通リングの一側から、前記偏心軸挿通リングと一体成形される揺動アームが延びており、前記揺動アームの中央に長形規制溝が設けられており、前記揺動アームには、受動側と、作用側と、が設けられており、前記偏心軸挿通リングは前記揺動アームの前記受動側と連接し、前記揺動アームの前記作用側に按摩突起が少なくとも一つ設けられており、前記偏心軸挿通リングの偏心軸挿通穴に偏心軸が挿通されており、前記偏心軸の内部に中心軸穴が設けられており、前記偏心軸の上面には、その円心を前記中心軸穴の位置に合わせる回転盤が一体に設けられており、前記回転盤の上面に按摩突起が少なくとも一つ設けられていることを特徴とする按摩ヘッドユニット。
【請求項２】
前記按摩突起は二つあることを特徴とする、請求項１に記載の按摩ヘッドユニット。
【請求項３】
前記二つの按摩突起は、そのうちの一つが残りの前記按摩突起よりも大きいことを特徴とする、請求項２に記載の按摩ヘッドユニット。
【請求項４】
前記回転盤の底面には、前記偏心軸と、ケースと、が設けられており、前記ケースの上面に中心伝動軸が挿通されており、前記中心伝動軸は前記中心軸穴に差し込まれており、前記中心軸穴は前記偏心軸と一体成形されるため、前記中心軸穴が回転しているときに、前記偏心軸も回転し、前記ケースの上面に規制ピンが設けられており、前記規制ピンは、前記揺動アームの前記長形規制溝に差し込まれており、これにより、前記揺動アームの揺動可能な範囲は前記長形規制溝と前記規制ピンに規制されることを特徴とする、請求項１に記載の按摩ヘッドユニット。
【請求項５】
二つの前記按摩ヘッドユニットは、左右で対称的に配列されており、その間に前記ケースが介在しており、前記ケースの内部に動力機構が設けられており、前記動力機構は、モータと、前記モータに駆動されるギアユニットと、を含み、前記ギアユニットは前記中心伝動軸を駆動して、二つの前記按摩ヘッドユニットが駆動されてユーザの肩部、ネック部及び背部を按摩することを特徴とする、請求項４に記載の按摩ヘッドユニット。
【請求項６】
按摩用枕の内部に組み付けられていることを特徴とする、請求項５に記載の按摩ヘッドユニット。
【請求項７】
按摩用チェアマットの内部に組み付けられていることを特徴とする、請求項５に記載の按摩ヘッドユニット。
【請求項８】
マッサージチェアの内部に組み付けられていることを特徴とする、請求項５に記載の按摩ヘッドユニット。
【発明の詳細な説明】
【技術分野】
【０００１】
本発明は、按摩ヘッドユニットに関し、特に、揺動アームの受動側が偏心に回転しながら揺動し、揺動アームの中央に長形規制溝が設けられており、揺動アームの作用側に按摩突起が設けられており、偏心軸の上面には、その円心を中心軸穴の位置に合わせる回転盤が設けられており、回転盤の上面に按摩突起が設けられており、回転盤が回転してユーザを按摩すると同時に、揺動アームが揺動してユーザを按摩する按摩ヘッドユニットに関するものである。
【背景技術】
【０００２】
国民は、仕事が極めて忙しくて暇の時間が少ないため、暇のときに体を按摩することにより、ストレスを解消することが必要である。体を按摩するときには、スペースを掛からず、ユーザが移動することも必要しないため、極めて便利である。体を按摩することにより、筋肉を鍛錬し、血行を促進し、新陳代謝を増加し、仕事によるストレスを解消することが可能である。
【０００３】
従来のマッサージ器の按摩動作は極めて単調であり、例えば特許文献１の台湾特許１００２１６７１９号の「マッサージ器」が提案された。このようなマッサージ器は、よく見られる円盤式のマッサージ器であり、円盤を回転するとユーザを按摩することが可能であるが、ユーザの体の各部分を十分にリラックスすることができない。上記の問題を解決するために、円盤を回転しながら上下に直線的に移動し、又は左右に直線的に移動する。しかし、このようにマッサージ器を改良しても、ユーザの体の各部分を十分にリラックスすることができない。
【先行技術文献】
【特許文献】
【０００４】
【特許文献１】台湾特許１００２１６７１９号公報
【発明の概要】
【発明が解決しようとする課題】
【０００５】
本発明の主な目的は、揺動アームの受動側が偏心に回転しながら揺動し、揺動アームの中央に長形規制溝が設けられており、揺動アームの作用側に按摩突起が設けられており、偏心軸の上面には、その円心を中心軸穴の位置に合わせる回転盤が設けられており、回転盤の上面に按摩突起が設けられており、回転盤が回転してユーザを按摩すると同時に、揺動アームが揺動してユーザを按摩する按摩ヘッドユニットを提供することにある。
【課題を解決するための手段】
【０００６】
本発明の按摩ヘッドユニットによると、偏心軸挿通リングを含み、偏心軸挿通リングの一側から、偏心軸挿通リングと一体成形される揺動アームが延びており、揺動アームの中央に長形規制溝が設けられており、揺動アームには、受動側と、作用側と、が設けられており、偏心軸挿通リングは揺動アームの受動側と連接し、揺動アームの作用側に按摩突起が少なくとも一つ設けられており、偏心軸挿通リングの偏心軸挿通穴に偏心軸が挿通されており、偏心軸の内部に中心軸穴が設けられており、偏心軸の上面には、その円心を中心軸穴の位置に合わせる回転盤が一体に設けられており、回転盤の上面に按摩突起が少なくとも一つ設けられていることを特徴とする。
【０００７】
本発明の按摩ヘッドユニットによると、按摩突起は二つあることを特徴とする。
【０００８】
本発明の按摩ヘッドユニットによると、二つの按摩突起は、そのうちの一つが残りの按摩突起よりも大きいことを特徴とする。
【０００９】
本発明の按摩ヘッドユニットによると、回転盤の底面には、偏心軸と、ケースと、が設けられており、ケースの上面に中心伝動軸が挿通されており、中心伝動軸は中心軸穴に差し込まれており、中心軸穴は偏心軸と一体成形されるため、中心軸穴が回転しているときに、偏心軸も回転し、ケースの上面に規制ピンが設けられており、規制ピンは、揺動アームの長形規制溝に差し込まれており、これにより、揺動アームの揺動可能な範囲は長形規制溝と規制ピンに規制されることを特徴とする。
【００１０】
本発明の按摩ヘッドユニットによると、二つの按摩ヘッドユニットは、左右で対称的に配列されており、その間にケースが介在しており、ケースの内部に動力機構が設けられており、動力機構は、モータと、モータに駆動されるギアユニットと、を含み、ギアユニットは中心伝動軸を駆動して、二つの按摩ヘッドユニットが駆動されてユーザの肩部、ネック部及び背部を按摩することを特徴とする。
【００１１】
本発明の按摩ヘッドユニットによると、マッサージ器は按摩用枕の内部に組み付けられていて、按摩用枕型マッサージ器を構成することを特徴とする。
【００１２】
本発明の按摩ヘッドユニットによると、マッサージ器は按摩用チェアマットの内部に組み付けられていて、按摩用チェアマット型マッサージ器を構成することを特徴とする。
【００１３】
本発明の按摩ヘッドユニットによると、マッサージ器はマッサージチェアの内部に組み付けられていて、マッサージチェア型マッサージ器を構成することを特徴とする。
【発明の効果】
【００１４】
本発明の按摩ヘッドユニットによれば、揺動アームの受動側が偏心に回転しながら揺動し、揺動アームの中央に長形規制溝が設けられており、揺動アームの作用側に按摩突起が設けられており、偏心軸の上面には、その円心を中心軸穴の位置に合わせる回転盤が設けられており、回転盤の上面に按摩突起が設けられており、回転盤が回転してユーザを按摩すると同時に、揺動アームが揺動してユーザを按摩するという効果を有する。
【図面の簡単な説明】
【００１５】
【図１】本発明の一実施例の上方から見た分解斜視図である。
【図２】本発明の一実施例の下方から見た分解斜視図である。
【図３】本発明の一実施例の組合済み状態を示す斜視図である。
【図４】本発明の揺動アームが上方へ揺動している状態を示す図である。
【図５】本発明の揺動アームが左側へ揺動している状態を示す図である。
【図６】本発明の揺動アームが下方へ揺動している状態を示す図である。
【図７】本発明の揺動アームが右側へ揺動している状態を示す図である。
【図８】本発明のマッサージ器の下方から見た分解斜視図である。
【図９】本発明のマッサージ器の組合済み状態を示す平面図である。
【図１０】本発明のマッサージ器の組合済み状態を示す斜視図である。
【図１１】本発明のマッサージ器が按摩用枕に組合わせられている状態を示す斜視図である。
【図１２】本発明のマッサージ器が按摩用チェアマットに組合わせられている状態を示す斜視図である。
【図１３】本発明のマッサージ器がマッサージチェアに組合わせられている状態を示す斜視図である。
【発明を実施するための最良の形態】
【００１６】
以下、本発明の実施の形態を図面に基づいて説明する。
図１から図３を参照する。図１は本発明の一実施例の上方から見た分解斜視図であり、図２は本発明の一実施例の下方から見た分解斜視図であり、図３は本発明の一実施例の組合済み状態を示す斜視図である。本実施例の按摩ヘッドユニットは偏心軸挿通リング１０を含む。
【００１７】
偏心軸挿通リング１０の一側から、偏心軸挿通リング１０と一体成形される揺動アーム１１が延びている。揺動アーム１１の中央に長形規制溝１１１が設けられている。揺動アーム１１には、受動側１１２と、作用側１１３と、が設けられている。偏心軸挿通リング１０は揺動アーム１１の受動側１１２と連接する。揺動アーム１１の作用側１１３に按摩突起１１４が少なくとも一つ設けられている。偏心軸挿通リング１０の偏心軸挿通穴１２に偏心軸２０が挿通されている。偏心軸２０の内部に中心軸穴２１が設けられている。偏心軸２０の上面には、その円心を中心軸穴の位置に合わせる回転盤２２が一体に設けられている。回転盤２２の上面に按摩突起２２１が少なくとも一つ設けられている。このように、回転盤２２が回転してユーザを按摩すると同時に、揺動アーム１１が揺動してユーザを按摩する。
【００１８】
図１に示すように、按摩突起２２１は二つある。
【００１９】
二つの按摩突起２２１は、図１に示すように、そのうちの一つが残りの按摩突起２２１よりも大きい。
【００２０】
図１から図７を参照する。図４は本発明の揺動アームが上方へ揺動している状態を示す図であり、図５は本発明の揺動アームが左側へ揺動している状態を示す図であり、図６は本発明の揺動アームが下方へ揺動している状態を示す図であり、図７は本発明の揺動アームが右側へ揺動している状態を示す図である。回転盤２２の底面には、偏心軸２０と、ケース３０と、が設けられている。ケース３０の上面に中心伝動軸３１が挿通されている。中心伝動軸３１は中心軸穴２１に差し込まれている。中心軸穴２１は偏心軸２０と一体成形されるため、中心軸穴２１が回転しているときに、偏心軸２０も回転する。ケース３０の上面に規制ピン３２が設けられている。規制ピン３２は、揺動アーム１１の長形規制溝１１１に差し込まれている。このように、揺動アーム１１の揺動可能な範囲は、長形規制溝１１１と規制ピン３２に有効に規制される。
【００２１】
図４から図７を参照する。中心伝動軸３１は回転盤２２を駆動して、回転盤２２と偏心軸２０が一体成形されるため、偏心軸２０が偏心に回転する。図４に示すように、偏心軸２０が上方へ回転して、揺動アーム１１の受動側１１２が上方へ移動するときに、揺動アーム１１の作用側１１３は規制ピン３２が長形規制溝１１１をスライドするため、按摩突起１１４が上方へ移動する。図５に示すように、偏心軸２０が左方へ回転して、揺動アーム１１の受動側１１２が左方へ移動するときに、揺動アーム１１の作用側１１３は規制ピン３２が長形規制溝１１１をスライドするため、按摩突起１１４が右方へ移動する。図６に示すように、偏心軸２０が下方へ回転して、揺動アーム１１の受動側１１２が下方へ移動するときに、揺動アーム１１の作用側１１３は規制ピン３２が長形規制溝１１１をスライドするため、按摩突起１１４が下方へ移動する。図７に示すように、偏心軸２０が右方へ回転して、揺動アーム１１の受動側１１２が右方へ移動し、揺動アーム１１の作用側１１３は規制ピン３２が長形規制溝１１１をスライドするため、按摩突起１１４が左方へ移動する。
【００２２】
図８から図１０を参照する。図８は本発明のマッサージ器の下方から見た分解斜視図であり、図９は本発明のマッサージ器の組合済み状態を示す平面図であり、図１０は本発明のマッサージ器の組合済み状態を示す斜視図である。二つの按摩ヘッドユニット４０は、左右で対称的に配列されており、その間にケース３０が介在している。ケース３０の内部に動力機構５０が設けられている。動力機構５０は、モータ５１と、モータ５１に駆動されるギアユニット５２と、を含む。ギアユニット５２は中心伝動軸３１を駆動して、二つの按摩ヘッドユニット４０が駆動されてユーザの肩部、ネック部及び背部を按摩することが可能である。
【００２３】
図１１を参照する。図１１は本発明のマッサージ器が按摩用枕に組合わせられている状態を示す斜視図である。マッサージ器６０は、図１１に示すように、按摩用枕７１の内部に組み付けられていて、按摩用枕型マッサージ器７０を構成する。
【００２４】
図１２を参照する。図１２は本発明のマッサージ器が按摩用チェアマットに組合わせられている状態を示す斜視図である。マッサージ器６０は、図１２に示すように、按摩用チェアマット８１の内部に組み付けられていて、按摩用チェアマット型マッサージ器８０を構成する。
【００２５】
図１３を参照する。図１３は本発明のマッサージ器がマッサージチェアに組合わせられている状態を示す斜視図である。マッサージ器６０は、図１３に示すように、マッサージチェア９１の内部に組み付けられていて、マッサージチェア型マッサージ器９０を構成する。
【産業上の利用可能性】
【００２６】
本発明は、マッサージ器に適用することができる。
【符号の説明】
【００２７】
１０  偏心軸挿通リング
１１  揺動アーム
１２  偏心軸挿通穴
２０  偏心軸
２１  中心軸穴
２２  回転盤
３０  ケース
３１  中心伝動軸
３２  規制ピン
４０  按摩ヘッドユニット
５０  動力機構
５１  モータ
５２  ギアユニット
６０  マッサージ器
７０  按摩用枕型マッサージ器
７１  按摩用枕
８０  按摩用チェアマット型マッサージ器
８１  按摩用チェアマット
９０  マッサージチェア型マッサージ器
９１  マッサージチェア
１１１  長形規制溝
１１２  受動側
１１３  作用側
１１４  按摩突起
２２１  按摩突起
【要約】
【課題】按摩突起が設けられている回転盤が回転してユーザを按摩すると同時に、按摩突起が設けられている揺動アームが揺動してユーザを按摩する按摩ヘッドユニットを提供する。
【解決手段】偏心軸挿通リングを含み、偏心軸挿通リングの一側から、偏心軸挿通リングと一体成形される揺動アームが延びており、揺動アームの中央に長形規制溝が設けられており、揺動アームには、受動側と、作用側と、が設けられており、偏心軸挿通リングは揺動アームの受動側と連接し、揺動アームの作用側に按摩突起が少なくとも一つ設けられており、偏心軸挿通リングの偏心軸挿通穴に偏心軸が挿通しており、偏心軸の内部に中心軸穴が設けられており、偏心軸の上面には、その円心が中心軸穴に位置合わせる回転盤が一体に設けられており、回転盤の上面に按摩突起が少なくとも一つ設けられている。
【選択図】図１【図１】
0005629402.tif 000002
【図２】
0005629402.tif 000003
【図３】
0005629402.tif 000004
【図４】
0005629402.tif 000005
【図５】
0005629402.tif 000006
【図６】
0005629402.tif 000007
【図７】
0005629402.tif 000008
【図８】
0005629402.tif 000009
【図９】
0005629402.tif 000010
【図１０】
0005629402.tif 000011
【図１１】
0005629402.tif 000012
【図１２】
0005629402.tif 000013
【図１３】
0005629402.tif 000014